(57)【要約】【課題】  テレビ放送を表示中またはテレビ放送を表示しようとした際、電池残量が少なくてもユーザがテレビ放送をみることができるとともに、ユーザの意思を反映した動作を行うことができる携帯端末装置を提供する。【解決手段】  携帯端末装置１００は、テレビ放送信号を受信するＴＶ放送受信部１０１と、受信されたテレビ放送信号のストリームを復号化するＴＶ放送処理部１０２と、復号化されたＹＵＶ信号をフレームごとにＲＧＢ信号に変換する表示変換部１０３と、テレビ放送の映像および音声を出力中にバッテリー１１２の電池残量が所定量以下になった場合、またはテレビ放送の映像および音声の出力が要求された際にバッテリー１１２の電池残量が所定量以下である場合における動作を制御する制御部１０９と、バッテリー１１２の電池残量を検出し、所定時間毎に制御部１０９へ通知する電源管理部１１１とを備える。【選択図】        図１
2006050555.tif 000002
【特許請求の範囲】
【請求項１】
テレビ放送信号を受信し、テレビ放送を出力する携帯端末装置であって、
前記テレビ放送を処理する放送処理手段と、
当該携帯端末装置を駆動する電池の残量または消費量を検出する電源管理手段と、
前記電池の残量または消費量に応じて、他の装置に対して前記テレビ放送を記録するように指示するか、または、前記放送処理手段に対して表示フレームレートを低下するよう指示する制御手段と
を備えることを特徴とする携帯端末装置。
【請求項２】
前記携帯端末装置は、さらに、
外部からの操作を受け付ける操作受付手段を備え、
前記制御手段は、前記電池の残量が所定量以下または前記電池の消費量が所定量以上である場合、前記他の装置に対する前記記録指示に先立って、前記他の装置で前記テレビ放送を記録するか否かを問い合わせ、
前記操作受付手段により受け付けられた、前記問い合わせに対する外部からの操作に基づいて、前記記録指示を制御する
ことを特徴とする請求項１記載の携帯端末装置。
【請求項３】
前記携帯端末装置は、さらに、
前記電池の残量が所定量以下または前記電池の消費量が所定量以上である場合に行う動作を初期設定として記憶する初期設定記憶手段を備え、
前記制御手段は、前記電池の残量が所定量以下または前記電池の消費量が所定量以上である場合、前記初期設定記憶手段に記憶されている前記初期設定に基づいて、前記記録指示を制御する
ことを特徴とする請求項１または請求項２記載の携帯端末装置。
【請求項４】
前記制御手段は、前記他の装置で前記テレビ放送を記録することを外部へ通知する
ことを特徴とする請求項１記載の携帯端末装置。
【請求項５】
前記放送処理手段は、前記制御手段からの指示を受けると、通常に復号化した表示フレームレートから所定の表示フレームレートに低下する
ことを特徴とする請求項１記載の携帯端末装置。
【請求項６】
前記放送処理手段は、前記制御手段からの指示を受けると、復号化時に所定のピクチャのみを復号化することで、所定の表示フレームレートに低下する
ことを特徴とする請求項１記載の携帯端末装置。
【請求項７】
前記制御手段は、前記放送処理手段に対して前記テレビ放送の映像の出力を停止するとともに、前記テレビ放送の音声の出力は継続するよう指示する
ことを特徴とする請求項１記載の携帯端末装置。
【請求項８】
前記携帯端末装置は、さらに、
外部からの操作を受け付ける操作受付手段を備え、
前記制御手段は、前記電池の残量が所定量以下または前記電池の消費量が所定量以上である場合、前記放送処理手段に対する前記低下指示に先立って、前記表示フレームレートを低下するか否かを問い合わせ、
前記操作受付手段により受け付けられた、前記問い合わせに対する外部からの操作に基づいて、前記低下指示を制御する
ことを特徴とする請求項１記載の携帯端末装置。
【請求項９】
前記携帯端末装置は、さらに、
前記電池の残量が所定量以下または前記電池の消費量が所定量以上である場合に行う動作を初期設定として記憶する初期設定記憶手段を備え、
前記制御手段は、前記電池の残量が所定量以下または前記電池の消費量が所定量以上である場合、前記初期設定記憶手段に記憶されている前記初期設定に基づいて、前記低下指示を制御する
ことを特徴とする請求項１記載の携帯端末装置。
【請求項１０】
前記制御手段は、前記電池の残量または消費量に応じて前記表示フレームレートを決定する
ことを特徴とする請求項１記載の携帯端末装置。
【請求項１１】
前記制御手段は、前記テレビ放送の映像の出力形態を変更することを外部へ通知する
ことを特徴とする請求項１記載の携帯端末装置。
【請求項１２】
テレビ放送信号を受信し、テレビ放送を出力する携帯端末装置における制御方法であって、
前記テレビ放送を処理する放送処理ステップと、
当該携帯端末装置を駆動する電池の残量または消費量を検出する電源管理ステップと、
前記電池の残量または消費量に応じて、他の装置に対して前記テレビ放送を記録するように指示するか、または、前記放送処理ステップにおける表示フレームレートを低下するよう指示する制御ステップと
を含むことを特徴とする制御方法。
【請求項１３】
テレビ放送信号を受信し、テレビ放送を出力する携帯端末装置を制御するためのプログラムであって、
前記テレビ放送を処理する放送処理ステップと、
当該携帯端末装置を駆動する電池の残量または消費量を検出する電源管理ステップと、
前記電池の残量または消費量に応じて、他の装置に対して前記テレビ放送を記録するように指示するか、または、前記放送処理ステップにおける表示フレームレートを低下するよう指示する制御ステップとをコンピュータに実行させる
ことを特徴とするプログラム。
【請求項１４】
テレビ放送信号を受信し、テレビ放送を出力する携帯端末装置を制御するための集積回路であって、
前記テレビ放送を処理する放送処理手段と、
当該携帯端末装置を駆動する電池の残量または消費量を検出する電源管理手段と、
前記電池の残量または消費量に応じて、他の装置に対して前記テレビ放送を記録するように指示するか、または、前記放送処理手段に対して表示フレームレートを低下するよう指示する制御手段と
を備えることを特徴とする集積回路。
【発明の詳細な説明】
【技術分野】
【０００１】
本発明は、例えば携帯電話機や携帯情報端末等の携帯端末装置に関し、特にテレビ放送を受信し、表示する携帯端末装置に関する。
【背景技術】
【０００２】
近年、例えば携帯電話機や携帯情報端末等の携帯端末装置では、装置の小型化や多機能化が進み、テレビ放送を受信し、表示することができる機種が登場してきている。また、視聴装置においても、装置の小型化や多機能化が進み、テレビ放送の視聴と同時に録画を行うことができる携帯型視聴装置も登場してきている。
【０００３】
このような携帯端末装置や携帯型視聴装置では、電源にバッテリーを用いているために、電池残量が少なくなるとテレビ放送を表示することができなくなるという問題がある。
【０００４】
そこで、上記のような装置では、バッテリーの残量があるレベルになるとＬＣＤパネルにおけるバックライト駆動部に対して低電力化指示を出し、バッテリーの残量低下に起因する番組視聴断念を極力回避することができる携帯型視聴装置が提案されている（例えば、特許文献１参照。）。この携帯型視聴装置では、さらにバッテリーの残量がより低いレベルになると映像表示のための要素への通電を停止し、受信映像および音声をメモリカードに記録するようにしている。
【特許文献１】特開２００３−２７４３１３号公報
【発明の開示】
【発明が解決しようとする課題】
【０００５】
しかしながら、上記のような携帯型視聴装置では、自装置内で受信映像および音声をメモリカードに記録しているので、バッテリーの残量がさらに少なくなるとメモリカードに記録することができなくなるという問題がある。
【０００６】
また、現在のテレビ放送受信機能を有する携帯電話機では、電話機能用に所定のバッテリー容量を残すために、バッテリーの残量があるレベル以下になるとテレビ放送の表示を強制終了するように構成されている。よって、番組の途中にテレビ放送の表示が終了され、番組の最後までテレビ放送を見ることができないという問題がある。
【０００７】
また、このようにテレビ放送の表示中またはテレビ放送を表示しようとした際に、バッテリーの残量が少ない場合の動作は、あらかじめ決められた動作に固定されており、ユーザの意思を反映することはできなかった。
【０００８】
そこで、本発明は上記の事情に鑑みてなされたものであり、テレビ放送を表示中またはテレビ放送を表示しようとした際、電池残量が少なくてもユーザがテレビ放送をみることができるとともに、ユーザの意思を反映した動作を行うことができる携帯端末装置を提供することを目的とする。
【課題を解決するための手段】
【０００９】
上記目的を達成するため、本発明に係る携帯端末装置は、テレビ放送信号を受信し、テレビ放送を出力する携帯端末装置であって、前記テレビ放送を処理する放送処理手段と、当該携帯端末装置を駆動する電池の残量または消費量を検出する電源管理手段と、前記電池の残量または消費量に応じて、他の装置に対して前記テレビ放送を記録するように指示するか、または、前記放送処理手段に対して前記テレビ放送の表示フレームレートを低下するよう指示する制御手段とを備えることを特徴とする。
【００１０】
これによって、テレビ放送の出力を終了しても、ユーザは他の装置で記録したテレビ放送を後から視聴することが可能になる。また、フレーム毎に行われる表示に伴う例えばＹＵＶ信号からＲＧＢ信号等への表示変換の処理量を削減することができ、電力消費を抑制することができる。
【００１１】
また、前記携帯端末装置は、さらに、外部からの操作を受け付ける操作受付手段を備え、前記制御手段は、前記電池の残量が所定量以下または前記電池の消費量が所定量以上である場合、前記他の装置に対する前記記録指示に先立って、前記他の装置で前記テレビ放送を記録するか否かを問い合わせ、前記操作受付手段により受け付けられた、前記問い合わせに対する外部からの操作に基づいて、前記記録指示を制御してもよい。
【００１２】
これによって、ユーザは希望する動作を選択することができる。
また、前記制御手段は、前記放送処理手段に対して前記テレビ放送の映像の出力を停止するとともに、前記テレビ放送の音声の出力は継続するように指示してもよい。
【００１３】
これによって、放送処理手段における映像に関するストリームの復号化処理および電力消費の大きい例えば液晶表示パネル等への表示を停止しているので、電力消費を抑制することができる。
【００１４】
また、前記携帯端末装置は、さらに、外部からの操作を受け付ける操作受付手段を備え、前記制御手段は、前記電池の残量が所定量以下または前記電池の消費量が所定量以上である場合、前記放送処理手段に対する前記低下指示に先立って、前記表示フレームレートを低下するか否かを問い合わせ、前記操作受付手段により受け付けられた、前記問い合わせに対する外部からの操作に基づいて、前記低下指示を制御してもよい。
【００１５】
これによって、ユーザは希望する動作を選択することができる。
また、前記制御手段は、前記電池の残量または消費量に応じて前記表示フレームレートを決定してもよい。
【００１６】
これによって、電池の残量または消費量に応じてさらに表示変換の処理量を削減することができ、電力消費を抑制することができる。
【００１７】
なお、本発明は、このような携帯端末装置として実現することができるだけでなく、このような携帯端末装置が備える特徴的な手段をステップとする方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００１８】
以上の説明から明らかなように、本発明に係る携帯端末装置によれば、電池の残量が所定量以下または電池の消費量が所定量以上である場合に、他の装置でテレビ放送を記録することができるので、テレビ放送の出力を終了しても、ユーザは他の装置で記録したテレビ放送を後から視聴することが可能になる。
【００１９】
また、電池の残量が所定量以下または電池の消費量が所定量以上である場合に、表示フレームレートを下げることができるので、フレーム毎に行われる表示に伴う表示変換の処理量を削減することができ、電力消費を抑制することができる。
【００２０】
よって、テレビ放送を表示する携帯端末装置が普及しつつある今日における実用的価値は極めて高い。
【発明を実施するための最良の形態】
【００２１】
以下、本発明の実施の形態について図面を参照しながら説明する。
図１は、本発明の実施の形態に係る携帯端末装置の構成を示すブロック図である。
【００２２】
携帯端末装置１００は、テレビ放送を受信し、受信したテレビ放送を出力したり、電話をかけたり、電子メールを送受信したりするための例えば携帯電話機等の装置であり、図１に示すようにＴＶ放送受信部１０１、ＴＶ放送処理部１０２、表示変換部１０３、無線部１０４、送受信処理部１０５、出力制御部１０６、表示部１０７、音声再生部１０８、制御部１０９、操作部１１０、電源管理部１１１、バッテリー１１２、初期設定部１１３、および通知部１１４を備えている。
【００２３】
ＴＶ放送受信部１０１は、放送局から例えばＭＰＥＧ（Moving Picture Experts Group）２トランスポートストリーム等のストリームにより放送されているテレビ放送信号を受信する。ＴＶ放送処理部１０２は、ＴＶ放送受信部１０１により受信されたストリームを復号化し、テレビ放送の映像を表示変換部１０３へ、テレビ放送の音声を出力制御部１０６へ出力する。表示変換部１０３は、ＴＶ放送処理部１０２によって復号化された輝度信号および色差信号（ＹＵＶ信号）をフレームごとに表示部１０７で表示することができる形式であるＲＧＢ信号に変換する。
【００２４】
無線部１０４は、基地局との間で無線通信を行う。送受信処理部１０５は、受信したデータや送信するデータのパケット処理を行う。出力制御部１０６は、入力されたテレビ放送の映像および音声、電子メール、電話の音声、テレビ電話の画像および音声等を表示部１０７および音声再生部１０８へ出力する際の制御を行う。表示部１０７は、テレビ放送の映像、電子メール、およびテレビ電話の画像等を表示する。音声再生部１０８は、テレビ放送の音声、電話の音声、およびテレビ電話の音声等を再生する。
【００２５】
制御部１０９は、テレビ放送の映像および音声を出力中にバッテリー１１２の電池残量が所定量以下になった場合、またはテレビ放送の映像および音声の出力が要求された際にバッテリー１１２の電池残量が所定量以下である場合における動作を制御する。操作部１１０は、ユーザが操作を行うための例えば１０キーや十字キー等の操作キーを備える。電源管理部１１１は、バッテリー１１２の電池残量を検出し、所定時間（例えば１分）毎に制御部１０９へ通知する。初期設定部１１３は、ユーザによってあらかじめ設定される初期設定を保持する。通知部１１４は、バイブレータ、音、発光、および表示等により電話や電子メールの受信等をユーザに通知する。
【００２６】
図２は、本発明の実施の形態に係る携帯端末装置が用いられるシステムの構成を示すブロック図である。
【００２７】
上記のように構成された携帯端末装置１００が用いられるシステムは、電話や電子メール等を送受信するためのシステムであり、基地局２００、インターネット等のネットワーク３００、およびサーバ装置４００を備えている。
【００２８】
サーバ装置４００は、携帯端末装置１００からの記録指示により、テレビ放送の番組の記録を行う装置であり、図２に示すように送受信部４０１、認証部４０２、制御部４０３、送信制御部４０４、記録媒体４０５、記録制御部４０６、ＴＶ放送処理部４０７、およびＴＶ放送受信部４０８を備えている。
【００２９】
ＴＶ放送受信部４０７は、放送局から例えばＭＰＥＧ２トランスポートストリーム等のストリームにより放送されているテレビ放送信号を受信する。ＴＶ放送処理部４０８は、ＴＶ放送受信部４０７により受信されたストリームより電子番組表（ＥＰＧ）等の補助情報を抽出し、制御部４０３へ出力する。
【００３０】
送受信部４０１は、データの送受信およびデータのパケット処理を行う。認証部４０２は、テレビ放送の番組の記録指示を送信した携帯端末装置１００があらかじめ登録されているユーザであるか否かの認証を行う。制御部４０３は、携帯端末装置１００からの記録指示、および補助情報に基づいてテレビ放送の番組の記録および終了を制御する。また、制御部４０３は、携帯端末装置１００からの要求に基づいて記録媒体４０５に記録したテレビ放送の番組の送信を制御する。
【００３１】
送信制御部４０４は、記録媒体４０５に記録されているテレビ放送の番組のストリームを読み出し、送受信部４０１を介して携帯端末装置１００へ送信する。記録媒体４０５は、テレビ放送の番組を記憶する例えばハードディスク等の記憶部である。記録制御部４０６は、受信されたテレビ放送の番組を記録媒体４０５へ記録する。
【００３２】
次に、上記のように構成された携帯端末装置１００においてテレビ放送の映像および音声を出力（以下、単にテレビ放送を表示ともいう）する場合の動作について説明する。
【００３３】
まず、ＴＶ放送受信部１０１により受信されたストリームは、ＴＶ放送処理部１０２へ入力される。ＴＶ放送処理部１０２は、入力されたストリームを復号化し、復号化されたテレビ放送の映像のＹＵＶ信号を通常の表示フレームレート（例えば１５フレーム／秒）で表示変換部１０３へ出力する。また、ＴＶ放送処理部１０２は、復号化されたテレビ放送の音声を出力制御部１０６へ出力する。表示変換部１０３は、入力されたＹＵＶ信号をフレームごとにＲＧＢ信号に変換し、出力制御部１０６へ出力する。出力制御部１０６は、入力されたテレビ放送の映像のＲＧＢ信号を表示部１０７へ、入力されたテレビ放送の音声を音声再生部１０８へ出力する。このようにして、携帯端末装置１００においてテレビ放送を表示する。
【００３４】
次に、携帯端末装置１００においてテレビ放送を表示中に電池の残量が所定量以下になった場合、またはテレビ放送を表示が要求された際に電池の残量が所定量以下である場合の動作について、説明する。
【００３５】
図３はテレビ放送を表示中に電池の残量が所定量以下になった場合、またはテレビ放送を表示が要求された際に電池の残量が所定量以下である場合の動作の流れを示すフローチャートである。
【００３６】
制御部１０９は、電源管理部１１１より通知されたバッテリー１１２の電池残量が所定の容量以下であるか否かを判定する（ステップＳ１０１）。ここで、電池残量が所定の容量以下でなければ（ステップＳ１０１でＮＯ）、制御部１０９は、通常の表示フレームレートでのテレビ放送の表示を継続する。なお、テレビ放送を表示が要求された際の動作では、通常の表示フレームレートでのテレビ放送の表示を開始することになる（図示しない）。
【００３７】
一方、電池残量が所定の容量以下である場合（ステップＳ１０１でＮＯ）、制御部１０９は、電池残量が所定の容量以下であるのでテレビ放送の表示をどうするかの問い合わせを、表示部１０７の所定の領域に表示するように出力制御部１０６に対して指示する。この指示を受けた出力制御部１０６は、表示部１０７の所定の領域に例えば図４（ａ）に示すように「電池残量が少なくなりました。処理を選択して下さい。」等のメッセージ、および「１．視聴終了」、「２．サーバで記録」、「３．フレームレートを落として再生」、「４．音だけ再生」等の選択肢を表示する（ステップＳ１０２）。
【００３８】
問い合わせの回答としてユーザにより「１．視聴終了」が選択された場合（ステップＳ１０３でＡ＝１）には、制御部１０９は、ＴＶ放送受信部１０１および出力制御部１０６に対してテレビ放送の表示を終了するように指示する。この指示を受けたＴＶ放送受信部１０１は、テレビ放送の受信を終了する。また、出力制御部１０６は、表示部１０７に表示したメッセージを消してテレビ放送の映像および音声の出力を終了する（ステップＳ１０４）。
【００３９】
また、問い合わせの回答としてユーザにより「２．サーバで記録」が選択された場合（ステップＳ１０３でＡ＝２）には、制御部１０９は、現在表示中のテレビ放送の番組を記録するようにサーバ装置へ指示する。すなわち、制御部１０９は、送受信処理部１０５および無線部１０４を介して、現在表示中のテレビ放送の番組の放送局（チャンネル）を指定して記録指示を送信する（ステップＳ１０５）。また、制御部１０９は、ＴＶ放送受信部１０１および出力制御部１０６に対してテレビ放送の表示を終了するように指示する。この指示を受けたＴＶ放送受信部１０１は、テレビ放送の受信を終了する。また、出力制御部１０６は、表示部１０７に表示したメッセージを消してテレビ放送の表示を終了する（ステップＳ１０６）。
【００４０】
図５は記録指示されたテレビ放送の番組をサーバ装置４００で記録する際の動作の流れを示すフローチャートである。
【００４１】
サーバ装置４００は、携帯端末装置１００から記録指示を送受信部４０１により受信（ステップＳ２０１）すると、認証部４０２は、記録指示を送信した携帯端末装置１００があらかじめ登録されているユーザであるか否かの認証を、例えば記録指示に含まれるユーザＩＤ等を用いて行う（ステップＳ２０２）。この認証の結果、記録指示を送信した携帯端末装置１００があらかじめ登録されているユーザであると認証される（ステップＳ２０２でＹＥＳ）と、制御部４０３は、記録指示で指定された放送局の番組の記録を開始するように記録制御部４０６に指示する。この指示を受けた記録制御部４０６は、ＴＶ放送受信部４０７により受信されたストリームを記録媒体４０５へ記録する（ステップＳ２０３）。
【００４２】
また、このとき制御部４０３は、ＴＶ放送処理部４０８により抽出された電子番組表（ＥＰＧ）等の補助情報を参照することによって、記録指示で指定された放送局の番組の終了時刻を取得する（ステップＳ２０４）。次に、制御部４０３は、記録中の番組の終了時刻になると、記録中の番組の記録を終了するように記録制御部４０６に指示する。この指示を受けた記録制御部４０６は、記録中の番組の記録媒体４０５への記録を終了する（ステップＳ２０５）。次に、制御部４０３は、記録指示で指定された放送局の番組の記録を完了したことを携帯端末装置１００へ通知する（ステップＳ２０６）。
【００４３】
また、上記認証（ステップＳ２０２）の結果、記録指示を送信した携帯端末装置１００があらかじめ登録されているユーザでなく不認証とされる（ステップＳ２０２でＮＯ）と、制御部４０３は、記録指示を送信した携帯端末装置１００へユーザ認証されなかったことを通知する（ステップＳ２０７）。
【００４４】
他方、携帯端末装置１００は、ユーザ認証されなかったことを示す通知、または指定した番組の記録完了通知をサーバ装置４００から受信すれば、その旨を表示するように出力制御部１０６へ指示する。この指示を受けた出力制御部１０６は、表示部１０７に「ユーザ認証されませんでした」、または「記録指示したテレビ放送の番組をサーバ装置に記録しました」等のメッセージを表示する。
【００４５】
また、問い合わせの回答としてユーザにより「３．フレームレートを落として再生」が選択された場合（ステップＳ１０３でＡ＝３）には、制御部１０９は、ＴＶ放送処理部１０２に対して現在表示中のテレビ放送の映像の表示フレームレート（例えば１５フレーム／秒）を所定の表示フレームレート（例えば通常の表示フレームレートの１／２である７．５フレーム／秒）に低下させて出力するように指示する。この指示を受けたＴＶ放送処理部１０２は、復号化した通常の表示フレームレートから所定の表示フレームレートに低下させて表示変換部１０３へ出力する。表示変換部１０３は、所定の表示フレームレートに低下されて入力されたＹＵＶ信号をフレームごとにＲＧＢ信号に変換し、出力制御部１０６へ出力する。出力制御部１０６は、表示部１０７に表示したメッセージを消して、表示フレームレートが低下されたテレビ放送の映像を表示部１０７に表示する（ステップＳ１０７）。なお、このとき、ＴＶ放送処理部１０２は、例えばＩピクチャのみ、またはＩピクチャおよびＰピクチャのみというように１部のピクチャだけを復号化することで、表示フレームレートを下げても構わない。
【００４６】
また、問い合わせの回答としてユーザにより「４．音だけ再生」が選択された場合（ステップＳ１０３でＡ＝４）には、制御部１０９は、ＴＶ放送処理部１０２および出力制御部１０６に対して現在表示中のテレビ放送の映像の表示を停止するように指示する。この指示を受けたＴＶ放送処理部１０２は、ＴＶ放送受信部１０１により受信されたストリームの内で映像に関するストリームの復号化を停止する。また、出力制御部１０６は、表示部１０７に表示したメッセージを消してテレビ放送の映像の出力を停止する（ステップＳ１０８）。このとき、ＴＶ放送処理部１０２は、ＴＶ放送受信部１０１により受信されたストリームの内で音声に関するストリームの復号化については継続して行い、音声再生部１０８でのテレビ放送の音声の再生を継続する。
【００４７】
以上のように、テレビ放送を表示中に電池の残量が所定量以下になった場合、またはテレビ放送を表示が要求された際に電池の残量が所定量以下である場合に、その後の動作についてユーザに問い合わせているので、ユーザは希望する動作を選択することができる。
【００４８】
また、「２．サーバで記録」が選択された場合には、それまで表示していたテレビ放送の番組をサーバ装置４００で記録しているので、テレビ放送の表示に伴う電力消費が発生することなく、ユーザは後から記録された番組を視聴することが可能になる。また、番組を確実にサーバ装置４００で記録を行うことができる。
【００４９】
また、「３．フレームレートを落として再生」が選択された場合には、表示変換部１０３におけるＹＵＶ信号からＲＧＢ信号への表示変換の処理量を削減することができ、電力消費を抑制することができる。
【００５０】
また、「４．音だけ再生」が選択された場合には、ＴＶ放送処理部１０２における映像に関するストリームの復号化処理および電力消費の大きい表示部１０７への表示を停止しているので、電力消費を抑制することができる。
【００５１】
なお、本実施の形態では、テレビ放送を表示中に電池の残量が所定量以下になった場合、またはテレビ放送を表示が要求された際に電池の残量が所定量以下である場合に、その後の動作についてユーザに問い合わせているが、これに限られるものではない。上記に説明した動作の中で、いずれの動作を実行するかを初期設定部１１３にあらかじめ設定しておくことができる。そして、制御部１０９は、初期設定部１１３に設定された内容に基づいて、テレビ放送を表示中に電池の残量が所定量以下になった場合、またはテレビ放送を表示が要求された際に電池の残量が所定量以下である場合の動作を制御すればよい。
【００５２】
例えば、初期設定部１１３に「２．サーバで記録」すると設定されている場合であれば、制御部１０９は、ユーザに問い合わせを行わずに、表示部１０７に例えば図４（ｂ）に示すように「電池残量が少なくなりましたので、サーバで記録します。」等のメッセージを表示し、記録指示をサーバ装置４００へ送信することになる。
【００５３】
また、例えば、初期設定部１１３に「３．フレームレートを落として再生」すると設定されている場合であれば、制御部１０９は、ユーザに問い合わせを行わずに、表示部１０７に例えば「電池残量が少なくなりましたので、フレームレートを落として再生します。」等のメッセージを表示した後、表示フレームレートが低下されたテレビ放送の映像を表示部１０７に表示することになる。
【００５４】
また、例えば、初期設定部１１３に「１．視聴終了」すると設定されている場合であれば、制御部１０９は、ユーザに問い合わせを行わずに、表示部１０７に例えば「電池残量が少なくなりましたので、テレビ放送の表示を終了します。」等のメッセージを表示した後、表示部１０７への表示を停止することになる。この場合、表示部１０７へのメッセージの表示を行わずに、例えば通知部１１４が、バイブレータ、音、および発光等によりテレビ放送の表示を終了することをユーザに通知してもよい。
【００５５】
また、例えば、初期設定部１１３に「４．音だけ再生」すると設定されている場合であれば、制御部１０９は、ユーザに問い合わせを行わずに、表示部１０７に例えば「電池残量が少なくなりましたので、映像の表示を停止して音だけを再生します。」等のメッセージを表示した後、表示部１０７への表示を停止することになる。この場合も、表示部１０７へのメッセージの表示を行わずに、例えば通知部１１４が、バイブレータ、音、および発光等により表示を停止することをユーザに通知してもよい。
【００５６】
また、本実施の形態では、テレビ放送を表示中に電池の残量が所定量以下になった場合、またはテレビ放送を表示が要求された際に電池の残量が所定量以下である場合に、その後の動作について、４つの方法からいずれを選択するかをユーザに問い合わせているが、これは、いずれか１つだけを選択するのではなく、４つの中からの組み合わせを選択するようにしても良い。例えば、「２．サーバで記録」かつ「３．フレームレートを落として再生」を選択すれば、制御部１０９は、現在表示中のテレビ放送の番組を記録するようにサーバ装置へ指示し、かつ現在表示中のテレビ放送の映像の表示フレームレートを所定の表示フレームレートに低下させて出力するように指示する。これにより、サーバ装置において現在表示中のテレビ放送の番組を記録しながら、かつユーザは電池の残量がなくなるまで、現在放送中の番組を携帯端末装置で視聴し続けることができる。これは、「２．サーバで記録」かつ「４．音だけ再生」を選択した場合でも、同様の効果が得られる。またこれは、初期設定部１１３に予め設定しておく場合も同様である。
【００５７】
また、本実施の形態では、サーバ装置４００はネットワーク上に存在するとして説明しているが、例えばユーザの自宅等に存在しても構わない。この場合、サーバ装置４００は例えばホームゲートウェイおよびＨＤＤレコーダ等で実現することができる。また、携帯端末装置１００がメモリカード等のインタフェースを備えることで、例えばＨＤＤレコーダから記録された番組をメモリカードに直接コピーまたは移動して、メモリカードより番組を再生することも可能である。
【００５８】
また、本実施の形態では、サーバ装置４００で記録中の番組の終了時刻を取得するものとしているが、これに限られるものではない。例えば、携帯端末装置１００からの記録指示に終了時刻を含めて送信しても構わない。
【００５９】
また、本実施の形態では、フレームレートを落として再生する場合に、所定の表示フレームレートに低下させているが、これに限られるものではない。例えば、制御部１０９が電池の残量に対する複数の閾値を有し、最初に所定の表示フレームレート（例えば通常の表示フレームレートの１／２である７．５フレーム／秒）に低下させた後、さらに、電池の残量に応じて表示フレームレートを段階的（例えば通常の表示フレームレートの１／３である５フレーム／秒、通常の表示フレームレートの１／５である３フレーム／秒）に低下させても構わない。
【００６０】
また、本実施の形態では、電源管理部１１１がバッテリー１１２の電池残量を検出して、例えばテレビ放送を表示中に電池の残量が所定量以下になった場合の動作について説明しているが、これに限られるものではない。例えば、電源管理部１１１がバッテリー１１２の電池残量に替えて電池消費量を検出して、例えばテレビ放送を表示中に電池の消費量が所定量以上になった場合に上記動作を行うとしても構わない。
【００６１】
また、本実施の形態では、ＭＰＥＧ２トランスポートストリーム等のストリームによるテレビ放送を例に説明したが、ＴＶ放送受信部１０１、４０８およびＴＶ放送処理部１０２、４０７は、アナログ放送を受信および再生してもよい。
【００６２】
また、本実施の形態では、電源管理部１１１がバッテリー１１２の電池残量を検出して、例えばテレビ放送を表示中に電池の残量が所定量以下になった場合の動作について説明しているが、電池の残量が所定量以下であったとしても、外部電源が供給されているような場合には、電池の残量が所定量以上である場合と同様の動作を行っても構わない。
【００６３】
また、図１に示したブロック図の各機能ブロックは典型的には集積回路であるＬＳＩとして実現される。このＬＳＩは１チップ化されても良いし、複数チップ化されても良い。（例えばメモリ以外の機能ブロックが１チップ化されていても良い。）ここでは、ＬＳＩとしたが、集積度の違いにより、ＩＣ、システムＬＳＩ、スーパーＬＳＩ、ウルトラＬＳＩと呼称されることもある。
【００６４】
また、集積回路化の手法はＬＳＩに限るものではなく、専用回路又は汎用プロセサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【００６５】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【００６６】
また、図１に示したブロック図の各機能ブロックおよび図３に示したフローチャートは、その中心的部分をプロセサおよびプログラムによって実現される。
【産業上の利用可能性】
【００６７】
以上のように本発明に係る携帯端末装置は、テレビ放送を受信し、表示することができる携帯端末装置に適しており、例えばテレビ付き携帯電話機、テレビ付きＰＤＡ（Personal digital assistant）などに適している。
【図面の簡単な説明】
【００６８】
【図１】本発明の実施の形態に係る携帯端末装置の構成を示すブロック図である。
【図２】本発明の実施の形態に係る携帯端末装置が用いられるシステムの構成を示すブロック図である。
【図３】テレビ放送を表示中に電池の残量が所定量以下になった場合、またはテレビ放送を表示が要求された際に電池の残量が所定量以下である場合の動作の流れを示すフローチャートである。
【図４】表示部の表示例を示す図であり、（ａ）問い合わせのメッセージおよび選択肢の表示例、（ｂ）通知のメッセージの表示例を示す図である。
【図５】記録指示されたテレビ放送の番組をサーバ装置で記録する際の動作の流れを示すフローチャートである。
【符号の説明】
【００６９】
１００  携帯端末装置
１０１  ＴＶ放送受信部
１０２  ＴＶ放送処理部
１０３  表示変換部
１０４  無線部
１０５  送受信処理部
１０６  出力制御部
１０７  表示部
１０８  音声再生部
１０９  制御部
１１０  操作部
１１１  電源管理部
１１２  バッテリー
１１３  初期設定部
１１４  通知部
【図１】
2006050555.tif 000003
【図２】
2006050555.tif 000004
【図３】
2006050555.tif 000005
【図４】
2006050555.tif 000006
【図５】
2006050555.tif 000007